(57)【要約】【課題】表示装置が表示する表示情報に対して利用者の興味を惹きつけることができる技術を提供する。【解決手段】情報表示システムは、近接無線通信機能部と、インターネットを介して他の装置と通信を行うための移動体通信機能部と、を有する端末と、それぞれが複数の画素の集合である複数の表示ブロックを含み、表示情報を表示する表示画面と、表示ブロックごとに配置された電子装置と、を備える表示装置と、インターネットとの接続を行うための機能を有する通信部を有し、インターネットを介して端末と通信を行うサーバ装置と、を備える。表示装置は、複数の画素のうちの一つを最小単位とする表示画面中の領域であって、表示情報を表示する表示領域を変化させる。サーバ装置は、送信情報に対応したコンテンツ情報を端末に表示させる。【選択図】図８
2015060416.tif 000002
【特許請求の範囲】
【請求項１】
情報表示システムであって、
近接無線通信機能部と、インターネットを介して他の装置と通信を行うための移動体通信機能部と、を有する端末と、
それぞれが複数の画素の集合である複数の表示ブロックを含み、表示情報を表示する表示画面と、前記表示ブロックごとに配置された電子装置と、を備える表示装置と、
前記インターネットとの接続を行うための機能を有する通信部を有し、前記インターネットを介して前記端末と通信を行うサーバ装置と、を備え、
前記電子装置は、
前記表示画面側から前記端末と近接無線通信できる位置に配置された近接無線通信部と、
近接無線通信によって前記端末に送信する送信情報であって、前記サーバ装置が前記端末に送信するコンテンツ情報を決定するための情報となる送信情報を記憶する記憶部と、を有し、
前記表示装置は、前記複数の画素のうちの一つを最小単位とする前記表示画面中の領域であって、前記表示情報を表示する表示領域を変化させ、
前記送信情報は、前記表示ブロックに関する情報を含み、
前記端末は、前記表示ブロックに配置された前記電子装置との間で近接無線通信を行うことで、前記送信情報を取得し、取得した前記送信情報を前記サーバ装置に送信し、
前記サーバ装置は、前記送信情報に対応した前記コンテンツ情報を前記端末に表示させる、情報表示システム。
【請求項２】
情報表示システムを構成し、インターネットを介して他の機器と通信するサーバ装置であって、
前記情報表示システムは、さらに、
近接無線通信機能部と、インターネットを介して他の装置と通信を行うための移動体通信機能部と、を有する端末と、
それぞれが複数の画素の集合である複数の表示ブロックを含み、表示情報を表示する表示画面と、前記表示ブロックごとに配置された電子装置と、を備える表示装置と、を備え、
前記電子装置は、前記表示画面側から前記端末と近接無線通信できる位置に配置された近接無線通信部と、近接無線通信によって前記端末に送信する送信情報であって、前記サーバ装置が前記端末に送信するコンテンツ情報を決定するための情報となる送信情報を記憶する記憶部とを有し、
前記表示装置は、前記複数の画素のうちの１つを最小単位とする前記表示画面中の領域であって、前記表示情報を表示する表示領域を変化させ、
前記送信情報は、前記表示ブロックに関する情報を含み、
前記サーバ装置は、
前記インターネットを介して前記データを送受信するための通信部であって、前記端末が前記近接無線通信を行うことで取得した前記送信情報を受信する通信部と、
前記送信情報に対応した前記コンテンツ情報を特定し前記端末に表示させるコンテンツ機能部と、を有する、サーバ装置。
【請求項３】
請求項２に記載のサーバ装置であって、
前記コンテンツ機能部は、
前記送信情報を送信した前記電子装置が前記表示領域を形成する前記表示ブロックに位置する場合は、前記コンテンツ情報として第１種のコンテンツ情報を特定し、
前記送信情報を送信した前記電子装置が前記表示領域を形成する前記表示ブロック以外の前記表示ブロックに位置する場合は、前記コンテンツ情報として第２種のコンテンツ情報を特定する、サーバ装置。
【請求項４】
請求項２に記載のサーバ装置であって、
前記コンテンツ機能部は、
所定時間の間継続して前記表示領域が変化しない前記表示画面中の前記表示領域を形成する前記表示ブロックに位置する前記電子装置から前記端末が前記送信情報を取得した第１の場合は、前記コンテンツ情報として第１種のコンテンツ情報を特定し、
前記第１の場合と異なる第２の場合は、前記コンテンツ情報として第２種のコンテンツ情報を特定する、サーバ装置。
【請求項５】
請求項３又は請求項４に記載のサーバ装置であって、
前記コンテンツ機能部は、異なる複数の前記表示情報を同時に表示している期間に前記端末が前記電子装置から前記送信情報を取得した場合は、前記第２種のコンテンツ情報を前記第１種のコンテンツ情報として特定する、サーバ装置。
【請求項６】
請求項３又は請求項４に記載のサーバ装置であって、
前記コンテンツ機能部は、異なる複数の前記表示情報を同時に表示している期間に前記端末が前記電子装置から前記送信情報を取得した場合は、前記コンテンツ情報として前記複数の表示情報の１つに対応した前記第１種のコンテンツ情報を特定する、サーバ装置。
【請求項７】
請求項２から請求項６までのいずれか一項に記載のサーバ装置であって、
前記情報表示システムの前記表示装置は、異なる場所に複数配置され、
前記サーバ装置は、さらに、
前記端末と前記表示装置との近接無線通信の状況を記録する通信頻度特定部を有し、
前記コンテンツ機能部は、前記送信情報と前記記録とに基づいて前記コンテンツ情報を特定する、サーバ装置。
【請求項８】
情報表示システムを構成する表示装置であって、
前記情報表示システムは、さらに、
近接無線通信機能部と、インターネットを介して他の装置と通信を行うための移動体通信機能部と、を有する端末と、
前記インターネットとの接続を行うための機能を有する通信部を有し、前記インターネットを介して前記端末と通信を行うサーバ装置であって、前記端末に送信するための複数のコンテンツ情報を記憶するサーバ装置と、を備え、
前記表示装置は、
それぞれが複数の画素の集合である複数の表示ブロックを含み、表示情報を表示する表示画面と、
前記表示ブロックごとに配置された電子装置と、
前記表示画面に表示する前記表示情報を制御するための表示制御部と、を備え、
前記電子装置は、
前記表示画面側から前記端末と近接無線通信できる位置に配置された近接無線通信部と、
近接無線通信によって前記端末に送信する送信情報であって、前記端末に送信する前記コンテンツ情報を決定するための情報となる送信情報を記憶する記憶部と、を有し、
前記表示制御部は、前記複数の画素のうちの１つを最小単位とする前記表示画面中の領域であって、前記表示情報を表示する表示領域を変化させ、
前記送信情報は、前記表示ブロックに関する情報を含み、
前記表示ブロックに配置された前記電子装置が前記端末との間で近接無線通信を行うことで、前記電子装置が前記端末に前記送信情報を送信し、
前記表示領域に位置する前記電子装置が前記端末に送信する前記送信情報と、前記表示領域外に位置する前記電子装置が前記端末に送信する前記送信情報とは異なる、表示装置。
【請求項９】
請求項８に記載の表示装置であって、
前記情報表示システムを構成する前記端末は、さらに、加速度センサーを有し、
前記表示制御部は、取得した前記加速度センサーの検出情報に基づいて前記表示領域を変化させる、表示装置。
【請求項１０】
請求項８又は請求項９に記載の表示装置であって、
前記記憶部は、前記表示領域を形成する前記表示ブロックに位置する前記電子装置に対する前記端末の所定距離内への接近回数と、前記電子装置の位置情報とに基づいて前記送信情報の内容を変化させる、表示装置。
【請求項１１】
請求項８から請求項１０までのいずれか一項に記載の表示装置であって、
前記記憶部は、前記電子装置の位置情報と、前記端末の個別情報とに基づいて前記送信情報の内容を変化させる、表示装置。
【請求項１２】
請求項８から請求項１１までのいずれか一項に記載の表示装置であって、
前記表示制御部は、
前記表示領域に位置する前記電子装置と、前記端末との間で近接無線通信が行われたことを検出した場合に、前記表示領域を移動させる、表示装置。
【請求項１３】
請求項８から請求項１２までのいずれか一項に記載の表示装置であって、
前記表示制御部は、
前記表示領域に位置する前記電子装置と前記端末との間の近接無線通信の通信状況に応じて、前記表示領域の位置又は前記表示領域の前記表示情報の内容を変化させる、表示装置。
【請求項１４】
請求項８から請求項１３までのいずれか一項に記載の表示装置であって、
前記記憶部は、前記表示領域に位置する前記電子装置と近接無線通信を行った異なる前記端末の台数と、前記電子装置の位置情報とに基づいて前記送信情報の内容を変化させる、表示装置。
【請求項１５】
請求項８から請求項１４までのいずれか一項に記載の表示装置であって、さらに、
前記端末に送信した前記送信情報の実績を蓄積する記憶部と、
前記記憶部に蓄積した前記実績を表す統計情報を前記サーバ装置に送信する通信制御部と、を備える、表示装置。
【請求項１６】
請求項８から請求項１５までのいずれか一項に記載の表示装置であって、
前記送信情報は、前記電子装置の位置を表す情報を含む、表示装置。
【請求項１７】
端末であって、
表示部と、
前記表示部を制御するための表示制御部と、
近接無線通信機能部と、
インターネットを介して他の装置と通信を行うための移動体通信機能部と、
前記インターネットを介してサーバ装置から送信されるコンテンツ情報を表示部に表示させるコンテンツ表示機能部と、
前記端末の動きを検出するためのセンサーと、を備え、
前記表示制御部は、
前記近接無線通信機能部によって情報を取得した後に、前記センサーを利用した前記端末の操作を行うための操作画面を前記表示部に表示する、端末。
【請求項１８】
表示部と、近接無線通信機能部と、インターネットを介して他の装置と通信を行うための移動体通信機能部と、前記インターネットを介してサーバ装置から送信されるコンテンツ情報を表示部に表示させるコンテンツ表示機能部と、自身の動きを検出するためのセンサーとを備える端末を制御するためのコンピュータプログラムであって、
前記近接無線通信機能部によって情報を取得した後に、前記センサーを利用した前記端末の操作を行うための操作画面を前記表示部に表示させる機能を、コンピュータを用いて実現させるためのコンピュータプログラム。
【請求項１９】
表示部と、近接無線通信機能部と、インターネットを介して他の装置と通信を行うための移動体通信機能部と、を有する端末と、それぞれが複数の画素の集合である複数の表示ブロックを含み、表示情報を表示する表示画面と、前記表示ブロックごとに配置された電子装置と、を有する表示装置と、前記インターネットを介して前記端末と通信を行うサーバ装置と、を備える情報表示システムが実行する情報表示方法であって、
前記電子装置は、
前記表示画面側から前記端末と近接無線通信できる位置に配置された近接無線通信部と、
前記近接無線通信によって前記端末に送信する送信情報であって、前記サーバ装置が前記端末に送信するコンテンツ情報を決定するための情報となる送信情報を記憶する記憶部と、を有し、
前記送信情報は、前記表示ブロックに関する情報を含み、
（ａ）前記表示装置が、前記表示情報を表示させる表示領域を変化させる工程と、
（ｂ）前記端末が、前記表示ブロックに配置された前記電子装置との間で近接無線通信を行うことで、前記送信情報を取得する工程と、
（ｃ）前記端末が、取得した前記送信情報を前記サーバ装置に送信する工程と、
（ｄ）前記サーバ装置が、前記端末から取得した前記送信情報に対応した前記コンテンツ情報を前記端末に表示させる工程と、を備える情報表示方法。
【発明の詳細な説明】
【技術分野】
【０００１】
本発明は、端末に所定のコンテンツを表示させるための技術に関する。
【背景技術】
【０００２】
近年、情報表示パネルに複数個のリーダライタを設け、リーダライタごとに商品購入のための商品情報や、エリア情報などの各種情報等のＵＲＬ等が記憶された技術が知られている（例えば、特許文献１）。ＲＦＩＤ（Radio Frequency Identification）タグ内蔵携帯型情報端末などとリーダライタの間で、非接触によってデータ通信が行われることで利用者は希望する情報を取得できる。
【先行技術文献】
【特許文献】
【０００３】
【特許文献１】再公表特許  ＷＯ２００９／０２８２０３
【発明の概要】
【発明が解決しようとする課題】
【０００４】
しかしながら、情報表示パネルに複数個のリーダライタを設け、リーダライタごとに異なる情報を記憶する技術では、エンタテイメント性に欠ける。よって、情報表示パネルに表示されている広告などの表示情報に対して利用者の興味を惹きつけられない恐れがある。
【課題を解決するための手段】
【０００５】
本発明は、上述の課題の少なくとも一部を解決するためになされたものであり、以下の形態又は適用例として実現することが可能である。
【０００６】
（１）本発明の一形態によれば、情報表示システムが提供される。この情報表示システムは、近接無線通信機能部と、インターネットを介して他の装置と通信を行うための移動体通信機能部と、を有する端末と、それぞれが複数の画素の集合である複数の表示ブロックを含み、表示情報を表示する表示画面と、前記表示ブロックごとに配置された電子装置と、を備える表示装置と、前記インターネットとの接続を行うための機能を有する通信部を有し、前記インターネットを介して前記端末と通信を行うサーバ装置と、を備え、前記電子装置は、前記表示画面側から前記端末と近接無線通信できる位置に配置された近接無線通信部と、近接無線通信によって前記端末に送信する送信情報であって、前記サーバ装置が前記端末に送信するコンテンツ情報を決定するための情報となる送信情報を記憶する記憶部と、を有し、前記表示装置は、前記複数の画素のうちの一つを最小単位とする前記表示画面中の領域であって、前記表示情報を表示する表示領域を変化させ、前記送信情報は、前記表示ブロックに関する情報を含み、前記端末は、前記表示ブロックに配置された前記電子装置との間で近接無線通信を行うことで、前記送信情報を取得し、取得した前記送信情報を前記サーバ装置に送信し、前記サーバ装置は、前記送信情報に対応した前記コンテンツ情報を前記端末に表示させる。
この形態の情報表示システムによれば、表示装置の表示領域が変化すると共に、表示領域に関する情報を含む送信情報に対応したコンテンツ情報を端末に表示させるため、利用者の表示情報に対する興味を惹きつけることができる。
【０００７】
（２）本発明の他の一形態によれば、情報表示システムを構成し、インターネットを介して他の機器と通信するサーバ装置が提供される。この情報表示システムは、さらに、近接無線通信機能部と、インターネットを介して他の装置と通信を行うための移動体通信機能部と、を有する端末と、それぞれが複数の画素の集合である複数の表示ブロックを含み、表示情報を表示する表示画面と、前記表示ブロックごとに配置された電子装置と、を備える表示装置と、を備え、前記電子装置は、前記表示画面側から前記端末と近接無線通信できる位置に配置された近接無線通信部と、近接無線通信によって前記端末に送信する送信情報であって、前記サーバ装置が前記端末に送信するコンテンツ情報を決定するための情報となる送信情報を記憶する記憶部とを有し、前記表示装置は、前記複数の画素のうちの１つを最小単位とする前記表示画面中の領域であって、前記表示情報を表示する表示領域を変化させ、前記送信情報は、前記表示ブロックに関する情報を含む。また、このサーバ装置は、前記インターネットを介して前記データを送受信するための通信部であって、前記端末が前記近接無線通信を行うことで取得した前記送信情報を受信する通信部と、前記送信情報に対応した前記コンテンツ情報を特定し前記端末に表示させるコンテンツ機能部と、を有する。
この形態のサーバ装置によれば、表示領域が変化する表示装置から端末が取得した送信情報に基づいてコンテンツ情報を特定するため、利用者の表示情報に対する興味を惹きつけることができる。
【０００８】
（３）上記形態のサーバ装置であって、前記コンテンツ機能部は、前記送信情報を送信した前記電子装置が前記表示領域を形成する前記表示ブロックに位置する場合は、前記コンテンツ情報として第１種のコンテンツ情報を特定し、前記送信情報を送信した前記電子装置が前記表示領域を形成する前記表示ブロック以外の前記表示ブロックに位置する場合は、前記コンテンツ情報として第２種のコンテンツ情報を特定しても良い。
この形態のサーバ装置によれば、送信情報が表示領域を形成する表示ブロックに位置する電子装置から受信した情報か否かによって端末に送信するコンテンツ情報の種類を変化させるため、利用者の表示情報に対する興味をさらに惹きつけることができる。
【０００９】
（４）上記形態のサーバ装置であって、前記コンテンツ機能部は、所定時間の間継続して前記表示領域が変化しない前記表示画面中の前記表示領域を形成する前記表示ブロックに位置する前記電子装置から前記端末が前記送信情報を取得した第１の場合は、前記コンテンツ情報として第１種のコンテンツ情報を特定し、前記第１の場合と異なる第２の場合は、前記コンテンツ情報として第２種のコンテンツ情報を特定しても良い。
ここで、表示領域が変化している間は、どの表示ブロックが表示領域を形成しているのか否かについて端末を操作する利用者は判別しにくい。よって、表示領域を形成する表示ブロックに位置する電子装置から得た送信情報と、それ以外の表示ブロックに位置する電子装置から得た送信情報とでコンテンツ情報を変化させると、端末に表示されたコンテンツ情報を閲覧した利用者が困惑する場合がある。この形態のサーバ装置によれば、第１の場合はコンテンツ情報として第１種のコンテンツ情報を特定し、それ以外の第２の場合はコンテンツ情報として第２種のコンテンツ情報を特定しているため、端末を操作する利用者が困惑する可能性を低減できる。
【００１０】
（５）上記形態のサーバ装置であって、前記コンテンツ機能部は、異なる複数の前記表示情報を同時に表示している期間に前記端末が前記電子装置から前記送信情報を取得した場合は、前記第２種のコンテンツ情報を前記第１種のコンテンツ情報として特定しても良い。
ここで、表示情報の入れ替え中などによって異なる表示情報が重なって表示装置の表示画面に表示されている場合に、表示されている複数の表示情報の一つに対応したコンテンツ情報を端末に送信すると、コンテンツ情報を閲覧した利用者が困惑する可能性が生じる。この形態のサーバ装置によれば、異なる表示情報を同時に表示している期間の電子装置から端末が送信情報を取得した場合は、第２種のコンテンツ情報をコンテンツ情報として特定するため利用者が困惑する可能性を低減できる。
【００１１】
（６）上記形態のサーバ装置であって、前記コンテンツ機能部は、異なる複数の前記表示情報を同時に表示している期間に前記端末が前記電子装置から前記送信情報を取得した場合は、前記コンテンツ情報として前記複数の表示情報の１つに対応した前記第１種のコンテンツ情報を特定しても良い。
この形態のサーバ装置によれば、異なる複数の表示情報を同時に表示している期間に端末が電子装置から送信情報を取得した場合でも、第１種のコンテンツ情報を端末によって表示させることができる。
【００１２】
（７）上記形態のサーバ装置であって、前記情報表示システムの前記表示装置は、異なる場所に複数配置され、前記サーバ装置は、さらに、前記端末と前記表示装置との近接無線通信の状況を記録する通信頻度特定部を有し、前記コンテンツ機能部は、前記送信情報と前記記録とに基づいて前記コンテンツ情報を特定しても良い。
この形態のサーバ装置によれば、送信情報と、異なる場所に複数配置された表示装置と端末との近接無線通信との記録とに基づいてコンテンツ情報を変化させるため、利用者の表示情報に対する興味をより惹きつけることができる。
【００１３】
（８）本発明の他の一形態によれば、情報表示システムを構成する表示装置が提供される。この情報表示システムは、さらに、近接無線通信機能部と、インターネットを介して他の装置と通信を行うための移動体通信機能部と、を有する端末と、前記インターネットとの接続を行うための機能を有する通信部を有し、前記インターネットを介して前記端末と通信を行うサーバ装置であって、前記端末に送信するための複数のコンテンツ情報を記憶するサーバ装置と、を備える。また、この表示装置は、それぞれが複数の画素の集合である複数の表示ブロックを含み、表示情報を表示する表示画面と、前記表示ブロックごとに配置された電子装置と、前記表示画面に表示する前記表示情報を制御するための表示制御部と、を備え、前記電子装置は、前記表示画面側から前記端末と近接無線通信できる位置に配置された近接無線通信部と、近接無線通信によって前記端末に送信する送信情報であって、前記端末に送信する前記コンテンツ情報を決定するための情報となる送信情報を記憶する記憶部と、を有し、前記表示制御部は、前記複数の画素のうちの１つを最小単位とする前記表示画面中の領域であって、前記表示情報を表示する表示領域を変化させ、前記送信情報は、前記表示ブロックに関する情報を含み、前記表示ブロックに配置された前記電子装置が前記端末との間で近接無線通信を行うことで、前記電子装置が前記端末に前記送信情報を送信し、前記表示領域に位置する前記電子装置が前記端末に送信する前記送信情報と、前記表示領域外に位置する前記電子装置が前記端末に送信する前記送信情報とは異なる。
この形態の表示装置によれば、表示領域に位置するか否かで端末に送信する送信情報が異なるため、表示領域に位置する電子装置から取得した送信情報か否かで端末に表示させるコンテンツ情報を変化させることができる。これにより、利用者の表示情報に対する興味を惹きつけることができる。
【００１４】
（９）上記形態の表示装置であって、前記情報表示システムを構成する前記端末は、さらに、センサーを有し、前記表示制御部は、取得した前記センサーの検出情報に基づいて前記表示領域を変化させても良い。
この形態の表示装置によれば、端末の移動に応じて表示領域を変化させることができることから、利用者の表示情報に対する興味をより惹きつけることができる。
【００１５】
（１０）上記形態の表示装置であって、前記記憶部は、前記表示領域を形成する前記表示ブロックに位置する前記電子装置に対する前記端末の所定距離内への接近回数と、前記電子装置の位置情報とに基づいて前記送信情報の内容を変化させても良い。
この形態の表示装置によれば、接近回数と位置情報とに基づいて端末にコンテンツ情報を表示させるための送信情報が変化することから、表示装置のエンタテイメント性を高めることができる。これにより、利用者の表示情報に対する興味を惹きつけることができる。
【００１６】
（１１）上記形態の表示装置であって、前記記憶部は、前記電子装置の位置情報と、前記端末の個別情報とに基づいて前記送信情報の内容を変化させても良い。
この形態の表示装置によれば、端末の個別情報に対応したコンテンツ情報を端末に送信できることから、異なる端末を操作する複数の利用者の表示情報に対する興味を惹きつけることができる。
【００１７】
（１２）上記形態の表示装置であって、前記表示制御部は、前記表示領域に位置する前記電子装置と、前記端末との間で近接無線通信が行われたことを検出した場合に、前記表示領域を移動させても良い。
この形態の表示装置によれば、表示領域を移動させることで表示装置のエンタテイメント性を向上できる。これにより、利用者が表示情報に着目する可能性をより向上できる。
【００１８】
（１３）上記形態の表示装置であって、前記表示制御部は、前記表示領域に位置する前記電子装置と前記端末との間の近接無線通信の通信状況に応じて、前記表示領域の位置又は前記表示情報の内容を変化させても良い。
この形態の表示装置によれば、近接無線通信の回数や近接無線通信の通信時間などの通信状況に応じて、表示領域の位置又は表示情報の内容を変化できる。これにより、利用者が表示情報に着目する可能性をより向上できる。
【００１９】
（１４）上記形態の表示装置であって、前記記憶部は、前記表示領域に位置する前記電子装置と近接無線通信を行った異なる前記端末の台数と、前記電子装置の位置情報とに基づいて前記送信情報の内容を変化させても良い。
この形態の表示装置によれば、送信情報と、電子装置と近接無線通信を行った端末の台数とに応じて送信情報が変化するため、より多くの端末の利用者が表示装置を利用する可能性を高くできる。これにより。より多くの端末の利用者の表示情報に対する興味を惹きつけることができる。
【００２０】
（１５）上記形態の表示装置であって、さらに、前記端末に送信した前記送信情報の実績を蓄積する記憶部と、前記記憶部に蓄積した前記実績を表す統計情報を前記サーバ装置に送信する通信制御部と、を備えても良い。
この形態の表示装置によれば、表示装置のエンタテイメント性をより高めることができる。
【００２１】
（１６）上記形態の表示装置であって、前記送信情報は、前記電子装置の位置を表す情報を含んでも良い。
この形態の表示装置によれば、サーバ装置側で送信情報が表示領域に位置したか否かの判定処理を省略できる。
【００２２】
（１７）本発明の他の一形態によれば、端末が提供される。この端末は、表示部と、前記表示部を制御するための表示制御部と、近接無線通信機能部と、インターネットを介して他の装置と通信を行うための移動体通信機能部と、前記インターネットを介してサーバ装置から送信されるコンテンツ情報を表示部に表示させるコンテンツ表示機能部と、前記端末の動きを検出するためのセンサーと、を備え、前記表示制御部は、前記近接無線通信機能部によって情報を取得した後に、前記センサーを利用した前記端末の操作を行うための操作画面を前記表示部に表示する。
この形態の端末によれば、センサーを利用して端末の操作性を向上できる。
【００２３】
（１８）本発明の他の一形態によれば、表示部と、近接無線通信機能部と、インターネットを介して他の装置と通信を行うための移動体通信機能部と、前記インターネットを介してサーバ装置から送信されるコンテンツ情報を表示部に表示させるコンテンツ表示機能部と、自身の動きを検出するためのセンサーとを備える端末を制御するためのコンピュータプログラムが提供される。このコンピュータプログラムは、前記近接無線通信機能部によって情報を取得した後に、前記センサーを利用した前記端末の操作を行うための操作画面を前記表示部に表示させる機能を、コンピュータを用いて実現させる。
この形態のコンピュータプログラムによれば、センサーを利用して端末の操作性を向上できる。
【００２４】
（１９）本発明の他の一形態によれば、表示部と、近接無線通信機能部と、インターネットを介して他の装置と通信を行うための移動体通信機能部と、を有する端末と、それぞれが複数の画素の集合である複数の表示ブロックを含み、表示情報を表示する表示画面と、前記表示ブロックごとに配置された電子装置と、を有する表示装置と、前記インターネットを介して前記端末と通信を行うサーバ装置と、を備える情報表示システムが実行する情報表示方法が提供される。前記電子装置は、前記表示画面側から前記端末と近接無線通信できる位置に配置された近接無線通信部と、前記近接無線通信によって前記端末に送信する送信情報であって、前記サーバ装置が前記端末に送信するコンテンツ情報を決定するための情報となる送信情報を記憶する記憶部と、を有し、前記送信情報は、前記表示ブロックに関する情報を含む。この情報表示方法は、（ａ）前記表示装置が、前記表示情報を表示させる表示領域を変化させる工程と、（ｂ）前記端末が、前記表示ブロックに配置された前記電子装置との間で近接無線通信を行うことで、前記送信情報を取得する工程と、（ｃ）前記端末が、取得した前記送信情報を前記サーバ装置に送信する工程と、（ｄ）前記サーバ装置が、前記端末から取得した前記送信情報に対応した前記コンテンツ情報を前記端末に表示させる工程と、を備える。
この形態の情報表示方法によれば、表示装置の表示領域が変化すると共に、表示領域に関する情報を含む送信情報に対応したコンテンツ情報を端末に表示させるため、利用者の表示情報に対する興味を惹きつけることができる。
【００２５】
上述した本発明の各形態の有する複数の構成要素は全てが必須のものではなく、上述の課題の一部または全部を解決するため、あるいは、本明細書に記載された効果の一部または全部を達成するために、適宜、前記複数の構成要素の一部の構成要素について、その変更、削除、新たな構成要素との差し替え、限定内容の一部削除を行うことが可能である。また、上述の課題の一部または全部を解決するため、あるいは、本明細書に記載された効果の一部または全部を達成するために、上述した本発明の一形態に含まれる技術的特徴の一部または全部を上述した本発明の他の形態に含まれる技術的特徴の一部または全部と組み合わせて、本発明の独立した一形態とすることも可能である。
【００２６】
なお、本発明は、種々の態様で実現することが可能である。例えば、本発明は、情報表示システム、サーバ装置、表示装置、端末、及び、情報表示方法、それらのシステムや装置や方法の機能を実現するためのコンピュータプログラム、そのコンピュータプログラムを記録した記録媒体等の形態で実現することができる。
【図面の簡単な説明】
【００２７】
【図１】本発明の第１実施形態としての情報表示システムを説明するための図である。
【図２】表示装置の外部構成を説明するための図である。
【図３】表示装置の内部ブロック図である。
【図４】表示制御部が実行する表示情報の制御の一例である。
【図５】端末の内部ブロック図である。
【図６】サーバ装置の内部ブロック図である。
【図７】位置／コンテンツ対応テーブルを説明するための図である。
【図８】情報表示システムが実行する処理手順である。
【図９】表示制御部が実行する表示情報の制御の他の一例である。
【図１０】第１実施形態の第１変形態様の処理手順である。
【図１１】表示制御部が実行する表示情報の制御方法の他の一例である。
【図１２】表示制御部が実行する表示情報の制御方法の他の一例である。
【図１３】第１実施形態の第２変形態様の処理手順である。
【図１４】第２実施形態の情報表示システムに用いられる表示装置の内部ブロック図である。
【図１５】ＵＲＬテーブルを説明するための図である。
【図１６】情報表示システムが実行する処理手順である。
【図１７】本発明の第３実施形態としての情報表示システムを説明するための図である。
【図１８】端末の内部ブロック図である。
【図１９】第３実施形態の変形態様を説明するための図である。
【図２０】第３実施形態の変形態様の処理手順である。
【図２１】第４実施形態の情報表示システムに用いられる表示装置の内部ブロック図である。
【図２２】ＵＲＬテーブルを説明するための図である。
【図２３】第４実施形態の情報表示システムが実行する処理手順である。
【図２４】第５実施形態の情報表示システムに用いられる表示装置の内部ブロック図である。
【図２５】ＵＲＬテーブルを説明するための図である。
【図２６】第５実施形態の情報表示システムが実行する処理手順である。
【図２７】第６実施形態の情報表示システムを説明するための図である。
【図２８】サーバ装置の内部ブロック図である。
【図２９】通信頻度テーブルを説明するための図である。
【図３０】対応テーブルを説明するための図である。
【図３１】情報表示システムが実行する処理手順である。
【発明を実施するための形態】
【００２８】
次に、本発明の実施の形態を実施例に基づいて説明する。
【００２９】
Ａ．第１実施形態：
Ａ−１．情報表示システムの概略構成：
図１は、本発明の第１実施形態としての情報表示システム５００を説明するための図である。情報表示システム５００は、端末２０と、表示装置３０と、サーバ装置５０とがインターネット９０を介して接続されている。
【００３０】
表示装置３０は、デジタルサイネージであり、表示画面３０２に広告、地図、または、キャラクターなどの表示情報を表示する。端末２０は、スマートフォン等の携帯端末である。サーバ装置５０は、表示画面３０２に表示する表示情報および端末２０に送信するコンテンツ情報を管理する。端末２０を操作する利用者は、端末２０を表示画面３０２に近づけることで表示装置３０から送信情報としてＵＲＬ情報を取得する。そして端末２０が取得したＵＲＬ情報に基づいてＵＲＬ情報に対応するコンテンツ情報をサーバ装置５０から取得する。これにより、端末２０は表示情報が表示されている表示領域に応じたＷｅｂページを閲覧できる。表示領域とは、表示情報が表示されている領域である。
【００３１】
図２は、表示装置３０の外部構成を説明するための図である。表示装置３０は、表示画面３０２を備える。また、表示装置３０は電子装置としてのＮＦＣタグ３８を複数備える。表示画面３０２は液晶ディスプレイであり、複数の画素によって表示情報を表示する。表示装置３０の表示画面３０２は、複数の表示ブロック３４に分割されている。複数の表示ブロック３４はマトリクス状に配置されている。本実施形態では、表示ブロック３４は、ｍ行ｎ列のマトリクス状である。
【００３２】
複数の表示ブロック３４は、複数の画素からなり、各表示ブロック３４の画素数は同一である。ＮＦＣタグ３８は、表示ブロック３４ごとに１つずつ配置されている。ＮＦＣタグ３８は、表示画面３０２の背面に配置されている。ＮＦＣタグ３８は、その位置が表面側から識別可能なように配置されている。本実施形態では、ＮＦＣタグ３８は、表面側から視認可能に配置されることで、利用者はＮＦＣタグ３８の位置を識別できる。なお、視認可能に配置するという構成に代えて、表示画面３０２上にＮＦＣタグ３８の位置を示す為のマークを付しても良い。ＮＦＣタグ３８は、ＮＦＣ（Near field communication）機能を搭載するタグ（ＮＦＣタグ３８）である。また、ＮＦＣタグ３８は、端末２０とＩＳＯ／ＩＥＣ１８０９２規格に従った近接無線通信が行える位置に配置されている。ＮＦＣタグ３８は記憶部を有し、記憶部にはＮＦＣタグ３８が表示画面３０２のどの表示ブロック３４に位置するのかを特定できる位置情報が記憶されている。位置情報は、ＸＹ座標で表されている。例えば最も左上に位置する表示ブロック３４に配置されたＮＦＣタグ３８は、位置情報として座標（１，１）を表す情報を記憶し、最も左下に位置する表示ブロック３４に配置されたＮＦＣタグ３８は、位置情報として座標（ｎ，ｍ）を表す情報を記憶する。この位置情報は、表示領域に関する情報である。
【００３３】
図３は、表示装置３０の内部ブロック図である。表示装置３０は、ＣＰＵ３２と、通信部３９と、記憶部３５と、ＲＡＭ３６と、表示画面３０２と、ＮＦＣタグ３８とを備える。ＣＰＵ３２と、通信部３９と、記憶部３５と、ＲＡＭ３６と、表示画面３０２とはバスにより相互に接続されている。ＣＰＵ３２は、記憶部３５に記憶されているコンピュータプログラムをＲＡＭ３６に展開することにより、表示装置３０の動作を制御する。記憶部３５は、フラッシュＲＯＭである。
【００３４】
ＣＰＵ３２は、記憶部３５に記憶されているコンピュータプログラムを実行することによって、表示制御部３２２および通信制御部３２４として機能する。表示制御部３２２は、サーバ装置５０からの命令に従って表示情報を制御する。本実施形態では、サーバ装置５０からの命令に従って、表示制御部３２２は表示情報が表示されている表示領域や表示内容などを変化させる。通信制御部３２４は、通信部３９のデータの送受信を制御する。なお、表示制御部３２２は、自身のプログラムによって表示情報を制御することもできる。
【００３５】
通信部３９は、有線通信インターフェース３９２を備える。有線通信インターフェース３９２は、インターネット９０側の回線と接続される。有線通信インターフェース３９２は、複数のポートを備えている。有線通信インターフェース３９２は、図示しないＰＨＹチップ（物理チップ）やＭＡＣチップを含み、ポートから受信した信号の波形を整える。なお、表示装置３０は、表示画面３０２に表示するキャラクターなどの表示情報を、通信部３９を介してサーバ装置５０から取得する。また、表示装置３０の記憶部３５は、端末２０へ送信した送信情報の実績を統計情報として蓄積しても良い。そして、表示装置３０の通信制御部３２４は、通信部３０を介して統計情報をサーバ装置５０に送信しても良い。サーバ装置５０は、この統計情報に基づいて表示装置３０に表示させる表示情報の内容や端末２０に表示させるコンテンツ情報の内容を変更しても良い。こうすることで、表示装置３０のエンタテイメント性をさらに高めることができる。
【００３６】
複数のＮＦＣタグ３８はそれぞれ、記憶部３８２と、通信制御部３８４と、近接無線通信部としてのアンテナ３８５とを備える。記憶部３８２には、ＵＲＬ（Uniform Resource Locator）情報が記憶されている。このＵＲＬ情報には、ＮＦＣタグ３８が表示画面３０２のどの表示ブロック３４に位置するのかを特定できる位置情報が記憶されている。例えば、座標（１，１）のＮＦＣタグ３８の記憶部３８２には、ＵＲＬ情報として「http://hogehoge.com/index.html?x=1&y=1」のように、末尾に位置情報（x=1&y=1）が含まれている。この位置情報が課題を解決するための手段に記載の「送信情報」に相当する。なお、記憶部３８２には、少なくともサーバ装置５０が端末２０に送信するためのコンテンツ情報を決定するための情報が記憶されていれば良い。本実施形態では、記憶部３８２には、少なくとも位置情報が記憶されていれば良い。この場合、表示装置３０の記憶部３５（図３）には、位置情報と、位置情報に対応するＵＲＬ情報とが記憶される。そして、表示装置３０は、端末２０と近接無線通信が開始された場合、ＮＦＣタグ３８の位置情報を参照して記憶部３５に記憶されたＵＲＬ情報をＮＦＣタグ３８の記憶部３８２に記憶させ、開始された近接無線通信によって端末２０にＵＲＬ情報を送信する。
【００３７】
端末２０の近接無線通信インターフェースが備えるコイルから生じる電波を受けてアンテナ３８５に電気が生じることで、通信制御部３８４は記憶部３８２に記憶されているＵＲＬ情報を端末２０に送信する。
【００３８】
図４は、表示制御部３２２が実行する表示情報の制御の一例である。なお、図４に示す例では、説明の便宜上、表示ブロック３４は６行５列のマトリクスを形成しているものとする。図４に示す例では、所定の時刻になった場合に、表示情報が表示状態（Ａ）から（Ｃ）に変化する。表示状態（Ａ）では、表示情報であるキャラクター３０３が座標（１，２），（２，２），（１，３），（２，３）に配置された表示ブロック３４に亘って表示されている。所定の時刻になると、サーバ装置５０の命令によって表示制御部３２２は、キャラクター３０３が表示された表示情報を表示状態（Ａ）から表示状態（Ｃ）へと変化させる。表示状態（Ｂ）は、表示状態（Ａ）から表示状態（Ｃ）への変化途中の状態である。
【００３９】
図５は、端末２０の内部ブロック図である。端末２０は、ＣＰＵ２２と、通信部２８と、記憶部２５と、ＲＡＭ２６と、表示部２７とを備える。各部２２，２５，２６，２７，２８はバスにより相互に接続されている。ＣＰＵ２２は、記憶部２５に記憶されているコンピュータプログラムをＲＡＭ２６に展開することにより、端末２０の動作を制御する。記憶部２５は、フラッシュＲＯＭである。表示部２７は液晶ディスプレイである。
【００４０】
ＣＰＵ２２は、記憶部２５に記憶されているコンピュータプログラムを実行することによって、表示制御部２２２、通信制御部２２４、および、ＷＥＢブラウザ機能部２２６として機能する。表示制御部２２２は、表示部２７の表示される内容を制御する。通信制御部２２４は、通信部２８のデータの送受信を制御する。コンテンツ表示機能部としてのＷＥＢブラウザ機能部２２６は、例えば、ＨＴＴＰ（HyperText Transfer Protocol）のようなデータ転送プロトコルに基づいてＷＷＷ（World Wide Web）から取得されたコンテンツ情報の閲覧に使用されるコンピュータプログラムである。
【００４１】
通信部２８は、無線通信インターフェース２８２と、移動体通信インターフェース２８４と、近接無線通信インターフェース２８６とを備える。無線通信インターフェース２８２は、ＩＥＥＥ８０２．１１に準拠しており、ＩＥＥＥ８０２．１１に準拠した無線通信インターフェースを備える他の機器までの距離が所定以内であれば、他の機器との間で無線通信を行うことができる。移動体通信インターフェース２８４は、移動体通信網等の専用回線の通信規格に準拠しており、インターネット９０に接続された移動体通信基地局（図示しない）と無線によって通信可能に構成されている。近接無線通信インターフェース２８６は、ＮＦＣリーダライタ（「ＮＦＣ  Ｒ／Ｗ」とも呼ぶ。）であり、図示しないコイルからＮＦＣタグ３８と通信を行うための電磁波を発生させる。
【００４２】
図６は、サーバ装置５０の内部ブロック図である。サーバ装置５０は、表示装置３０が表示する表示情報を制御するためのサーバ機能と、端末２０に送信するコンテンツ情報を制御するためのＷＥＢサーバ機能とを有する。サーバ装置５０は、ＣＰＵ５２と、通信部５８と、記憶部５５と、ＲＡＭ５６とを備える。各部５２，５５，５６，５８はバスにより相互に接続されている。ＣＰＵ５２は、記憶部５５に記憶されているコンピュータプログラムをＲＡＭ５６に展開することにより、サーバ装置５０の動作を制御する。記憶部５５は、フラッシュＲＯＭである。
【００４３】
ＣＰＵ５２は、記憶部５５に記憶されているコンピュータプログラムを実行することによって、コンテンツ機能部としてのＷＥＢサーバ機能部５２４、情報提供部５２６、および、通信制御部５２８として機能する。ＷＥＢサーバ機能部５２４は特定部５２２を有する。特定部５２２は、端末２０から送信されたＵＲＬ情報に基づいて、ＵＲＬ情報を端末２０に送信したＮＦＣタグ３８の表示画面３０２上での位置を特定する。特定部５２２は、ＮＦＣタグ３８の位置を特定した後に、ＮＦＣタグ３８の位置に基づいて定められたコンテンツ情報を特定し、通信部５８を介してコンテンツ情報を端末２０に送信する。コンテンツ情報を受信した端末２０はコンテンツ情報を表示部２７に表示する。特定部５２２は、コンテンツ情報の特定を位置／コンテンツ対応テーブル５５６を参照することで行う。情報提供部５２６は、表示装置３０の表示画面３０２に表示させる表示情報の表示を制御する。通信制御部５２８は、通信部５８のデータの送受信を制御する。
【００４４】
通信部５８は、有線通信インターフェース５８２を有する。有線通信インターフェース５８２は、インターネット９０側の回線と接続される。有線通信インターフェース５８２は、複数のポートを備えている。有線通信インターフェース５８２は、図示しないＰＨＹチップ（物理チップ）やＭＡＣチップを含み、ポートから受信した信号の波形を整える。
【００４５】
記憶部５５は、位置／コンテンツ対応テーブル５５６と、コンテンツ記憶部５５８とを有する。コンテンツ記憶部５５８は、ＵＲＬ情報によって特定されるコンテンツ情報が記憶されている。
【００４６】
図７は、位置／コンテンツ対応テーブル５５６を説明するための図である。位置／コンテンツ対応テーブル５５６は、表示画面３０２の各表示ブロック３４の座標情報と、各表示ブロック３４に現在表示されている表示情報の内容と、端末２０に表示させるコンテンツ情報との関係を定めたテーブルである。各表示ブロック３４の座標は、ＮＦＣタグ３８の座標と一致している。位置／コンテンツ対応テーブル５５６は、表示情報の内容とコンテンツ情報との関係は固定されているが、表示ブロックの位置（ブロック位置）と表示情報との内容の関係については表示領域の変化によって変化する。すなわち、ブロック位置は固定されているが、表示領域の変化によってブロック位置毎の表示情報の内容及びコンテンツ情報は変化する。
【００４７】
図７に示す場合において、端末２０から送信されたＵＲＬ情報が、キャラクターＡが表示されている表示ブロック３４に位置するＮＦＣタグ３８が記憶しているＵＲＬ情報である場合は、端末２０に表示させるコンテンツ情報として第１種のコンテンツ情報Ａが特定される。また、端末２０から送信されたＵＲＬ情報が、キャラクターＢが表示されている表示ブロック３４に位置するＮＦＣタグ３８が記憶しているＵＲＬ情報である場合は、端末２０に表示させるコンテンツ情報として第１種のコンテンツ情報Ｂが特定される。端末２０から送信されたＵＲＬ情報が、表示情報が表示されていない表示ブロック３４に位置するＮＦＣタグ３８が記憶しているＵＲＬ情報である場合は、端末２０に表示させるコンテンツ情報として第２種のコンテンツ情報が特定される。第１種のコンテンツ情報Ａ，Ｂはそれぞれ、キャラクターＡ，Ｂの限定壁紙のダウンロード画面など特別なコンテンツ情報である。第２種のコンテンツ情報は、キャラクターＡ，Ｂを制作する会社のホームページ画面である。
【００４８】
図８は、情報表示システム５００が実行する処理手順である。ます、利用者が表示画面３０２に端末２０を近づけることで、端末２０が表示画面３０２に配置された複数のＮＦＣタグ３８の一つと近接無線通信を行う（ステップＳ１０２）。端末２０との間で近接無線通信が行われたＮＦＣタグ３８はＵＲＬ情報を端末２０に送信する（ステップＳ１０４）。次に、端末２０を操作する利用者は、表示部２７に表示されたＵＲＬ情報を選択し、選択したＵＲＬ情報をサーバ装置５０に送信する（ステップＳ１０６）。サーバ装置５０に送信されるＵＲＬ情報には、端末２０がＵＲＬ情報を取得した時間情報が付加されている。ＵＲＬ情報を取得したサーバ装置５０の特定部５２２（図６）は、ＵＲＬ情報に付加されている位置情報と、位置／コンテンツ対応テーブル５５６とを参照することで、端末２０に表示させるコンテンツ情報を特定する（ステップＳ１０８）。そして、サーバ装置５０は特定したコンテンツ情報をコンテンツ記憶部５５８から選択して端末２０に送信する（ステップＳ１１０）。端末２０のＷＥＢサーバ機能部５２４は、受信したコンテンツ情報を表示部２７に表示させる（ステップＳ１１２）。
【００４９】
このように、情報表示システム５００は、表示装置３０の表示画面３０２に表示された表示情報の表示領域が変化すると共に、表示領域に関する情報（本実施形態では位置情報）を含む送信情報に対応したコンテンツ情報を端末２０に表示させるため、利用者の表示情報に対する興味を惹きつけることができる。また、ＵＲＬ情報が、表示領域に位置するＮＦＣタグ３８から取得した情報か否かで端末２０に表示させるコンテンツ情報の種類を変化させている（図７）。これにより、利用者の表示情報に対する興味をさらに惹きつけることができる。例えば、会社の広告を表示情報として表示する場合、広告が位置する範囲のＮＦＣタグ３８から取得したＵＲＬ情報に基づいて端末２０に限定商品のプレゼント画面を表示させ、広告が位置する範囲外のＮＦＣタグ３８から取得したＵＲＬ情報に基づいて会社のホームページを端末２０に表示させると仮定する。この場合、端末２０を操作する利用者は、限定商品を取得するために広告が位置する範囲のＮＦＣタグ３８と近接無線通信を行うことになる。よって、利用者の広告に対する興味を惹きつけることができるため、広告による会社の宣伝効果が期待できる。
【００５０】
Ａ−２．第１実施形態の第１変形態様：
図９は、表示制御部３２２が実行する表示情報の制御の他の一例である。なお、図９に示す例では、図４と同様に表示ブロック３０４は６行５列のマトリクスを形成している。図９に示す例では、所定の時刻になると、表示画面３０２の左の位置から右の位置までキャラクター３０３が表示画面３０２中を走って移動する。表示状態（Ａ），（Ｃ）は、キャラクター３０３が静止状態であり、表示状態（Ｂ）は、キャラクター３０３が表示画面３０２を移動している状態である。詳細には、表示状態（Ｂ）は、キャラクターが表示画面３０２上をアニメーションによって移動している最中の１コマを示している。静止状態にあるキャラクター３０３には、特別なコンテンツ情報を取得できることを利用者に報知するための目印３０３ｍが付されている。表示状態（Ａ），（Ｃ）の場合において、キャラクター３０３が表示されている表示ブロック３４に位置するＮＦＣタグ３８から取得したＵＲＬ情報は、第１種のコンテンツ情報を端末２０の表示部２７に表示させるための情報である。ここで、表示状態（Ａ），（Ｃ）におけるキャラクター３０３が表示されている領域を「停止表示領域」と呼ぶ。
【００５１】
図１０は、第１実施形態の第１変形態様の処理手順である。第１変形態様の処理手順のステップＳ８２〜Ｓ８６は、図８の処理手順のうちのステップＳ１０８に代えて実行される。その他のステップは、図８のステップと同一である。また、図８のキャラクター３０３は、図７のキャラクターＡであるとする。
【００５２】
まず、サーバ装置５０は、端末２０からＵＲＬ情報を受信する（ステップＳ１０６）。次に、特定部５２２は、受信したＵＲＬ情報が停止表示領域に位置するＮＦＣタグ３８から送信された情報であるか否かを判定する（ステップＳ８２）。この判定は、ＵＲＬ情報に含まれる位置情報と、位置／コンテンツ対応テーブル５５６とに基づいて行われる。ステップＳ８２の判定結果が「ＹＥＳ」の場合、特定部５２２は第１種のコンテンツ情報Ａを端末２０に表示させるコンテンツ情報として特定する（ステップＳ８４）。一方、ステップＳ８２の判定結果が「ＮＯ」の場合、特定部５２２は第２種のコンテンツ情報を端末２０に表示させるコンテンツ情報として特定する（ステップＳ８６）。なお、特定部５２２は、キャラクター３０３が移動中である表示状態（Ｂ）のときにＮＦＣタグ３８から端末２０が取得したＵＲＬ情報である場合は、位置／コンテンツ対応テーブル５５６の設定内容に拘わらず第２種のコンテンツ情報を端末２０に表示させるコンテンツ情報として特定する。
【００５３】
ここで、キャラクター３０３が変化している間は、どの表示ブロック３４が表示領域であるのかを端末を操作する利用者は判別しにくい。よって、静止状態にあるキャラクター３０３が位置する表示ブロック３４に位置するＮＦＣタグ３０４から取得したＵＲＬ情報の場合にのみ、端末２０に表示させるコンテンツ情報として第１種のコンテンツ情報を特定し、それ以外の場合は端末２０に表示させるコンテンツ情報として第２種のコンテンツ情報を特定する。これにより、端末２０を操作する利用者が困惑する可能性を低減できる。
【００５４】
Ａ−３．第１実施形態の第２変形態様：
図１１は、表示制御部３２２が実行する表示情報の制御方法の他の一例である。なお、図１１に示す例では、図４と同様に表示ブロック３０４は６行５列のマトリクスを形成している。図１１に示す例では、所定の時刻になると、表示画面３０２のキャラクター３０３が別のキャラクター３０６に入れ替わる。表示状態（Ａ）は、入れ替え前のキャラクター３０３が表示されている状態であり、表示状態（Ｂ）は、キャラクター３０３をキャラクター３０６に入れ替えている状態であり、表示状態（Ｃ）は、キャラクター３０６が表示されている状態である。ここで、キャラクター３０３が図７のキャラクターＡに相当し、キャラクター３０６が図７のキャラクターＢに相当する。表示状態（Ｂ）におけるキャラクターの入れ替えは、キャラクター３０３が徐々に表示画面３０２から消えていくと共に、キャラクター３０６が徐々に表示画面３０２に現れる。
【００５５】
図１２は、表示制御部３２２が実行する表示情報の制御方法の他の一例である。なお、図１２に示す例では、図４と同様に表示ブロック３０４は６行５列のマトリクスを形成している。図１２も図１１と同様に、所定の時刻になると表示画面３０２に表示されている表示情報の種類と配置が変化する。図１２では、表示情報は企業の広告と仮定する。表示状態（Ａ）では第１の広告を表示する表示領域Ｒ１と、第２の広告を表示する表示領域Ｒ２が存在する。入れ替え完了後の表示状態（Ｃ）では、第１の広告を表示する表示領域Ｒ１と、第３の広告を表示する表示領域Ｒ３と、第４の広告を表示する表示領域Ｒ４とが存在する。入れ替え中の表示状態（Ｂ）では、第２の広告Ｒ２が表示画面３０２から消え、第３と第４の広告が表示画面３０２内に挿入され、第１の広告Ｒ１の位置が変化するような動画がサーバ装置５０によってプログラムされている。表示状態（Ｂ）では、表示画面上で複数の広告が重なった状態となる。
【００５６】
図１３は、第１実施形態の第２変形態様の処理手順である。第２変形態様の処理手順のステップＳ８２ｂ〜Ｓ８６ｂは、図８の処理手順のうちのステップＳ１０８に代えて実行される。その他のステップは、図８のステップと同一である。
【００５７】
まず、サーバ装置５０は、端末２０からＵＲＬ情報を受信する（ステップＳ１０６）次に、特定部５２２は、受信したＵＲＬ情報に付加された時間情報に基づいて、受信したＵＲＬ情報が入れ替え中の期間に取得されたか否かを判定する（ステップＳ８２ｂ）。ステップＳ８２ｂの判定結果が「ＹＥＳ」の場合、特定部５２２は位置／コンテンツ対応テーブル５５６の設定内容に拘わらず第２種のコンテンツ情報を端末２０に表示させるコンテンツ情報として特定する（ステップＳ８４ｂ）。一方で、ステップＳ８２ｂの判定結果が「ＮＯ」の場合、特定部５２２は、ステップＳ１０８と同様の工程を行う。すなわち、ＵＲＬ情報に付加されている位置情報と、位置／コンテンツ対応テーブル５５６とを参照することで、端末２０に表示させるコンテンツ情報を特定する。
【００５８】
表示領域に位置する電子装置からのＵＲＬ情報は、本来であれば第１種のコンテンツ情報を端末２０に表示させる。しかしながら、上記第１，第２変形態様において、キャラクターや広告などの表示情報の内容や、表示情報の位置や大きさ等が変化する期間（変化期間）に端末２０が取得したＵＲＬ情報は、必ず第２種のコンテンツ情報を端末２０に表示させる。すなわち、特定部５２２は、第２種のコンテンツ情報を第１種のコンテンツ情報をして特定することになる。よって、ＵＲＬ情報が、異なる表示情報を同時に表示している期間のＮＦＣタグ３８から送信された場合は、第２種のコンテンツ情報をコンテンツ情報として特定するため、利用者が困惑する可能性を低減できる。
【００５９】
Ｂ．第２実施形態：
図１４は、第２実施形態の情報表示システム５００ａに用いられる表示装置３０ａの内部ブロック図である。第２実施形態の表示装置３０ａと第１実施形態の表示装置３０との異なる点は、ＣＰＵ３２ａの機能部として新たに特定部３２６と、ＵＲＬ選択部３２８とを備える点、記憶部３５ａにＵＲＬテーブルを備える点、及び、近接無線通信機能を行う電子装置としてＮＦＣリーダライタ３８ａを複数備える点である。その他の構成については第１実施形態の表示装置３０（図３）と同様の構成であるため、同様の構成については同一符号を付すと共に説明を省略する。また、第２実施形態の情報表示システム５００ａは第１実施形態の情報システムと異なる点は、サーバ装置５０に代えて表示装置３０ａがＵＲＬ情報を端末２０に送信したＮＦＣタグ３８の位置を特定する点である。よって、第２実施形態のサーバ装置５０は、位置／コンテンツ対応テーブル５５６（図６）を有さない。その他の情報表示システム５００ａの構成については、第１実施形態と同様の構成であるため同様の構成については説明を省略する。
【００６０】
各部３２ａ，３５ａ，３６，３８ａ，３９，３０２はバスにより相互に接続されている。ＣＰＵ３２ａは、各ＮＦＣリーダライタ３８ａの記憶部３８２が記憶する情報を変更できる。特定部３２６は、どの表示ブロック３４にどの表示情報を表示しているのかを表す表示制御部３２２の制御情報と記憶部３８２に記憶された位置情報（ＸＹ座標で表された情報）とに基づいて、端末２０と近接無線通信を開始したＮＦＣリーダライタ３８ａの表示画面３０２上での位置を特定する。ＵＲＬ選択部３２８は、特定部３２６が特定したＮＦＣリーダライタ３８ａの位置に基づいてＵＲＬテーブル３５８を参照してＵＲＬ情報を選択する。またＵＲＬ選択部３２８は、選択したＵＲＬ情報をＮＦＣリーダライタ３８ａの記憶部３８２に記憶させる。すなわち、記憶部３８２に既に記憶されているＵＲＬ情報は削除し、記憶部３８２に記憶されているＵＲＬ情報を更新する。ＮＦＣリーダライタ３８ａの記憶部３８２に記憶されたＵＲＬ情報は端末２０に近接無線通信によって送信される。
【００６１】
図１５は、ＵＲＬテーブル３５８を説明するための図である。ＵＲＬテーブル３５８は、表示画面３０２の各表示ブロック３４の座標と、各表示ブロック３４に現在表示されている表示情報の内容と、端末２０に送信するためのＵＲＬ情報とが定められたテーブルである。ＵＲＬテーブル３５８は、表示画面３０２の表示情報の内容が変化に応じて表示情報の内容とＵＲＬ情報とが書き換えられる。各表示ブロック３４の座標は、ＮＦＣリーダライタ３８ａの座標と一致している。図１５において、キャラクターＡに対応付けられているＵＲＬ情報は、図７の第１種のコンテンツ情報Ａを特定する情報である。キャラクターＢに対応付けられているＵＲＬ情報は、図７の第１種のコンテンツ情報Ｂを特定する情報である。表示内容が「Ｎｕｌｌ（背景色のみ表示された状態）」に対応付けられているＵＲＬ情報は、図７の第２種のコンテンツ情報を特定するための情報である。すなわち、図１５に規定されたＵＲＬ情報自体が表示領域に関する情報を含んでいることになる。
【００６２】
図１６は、情報表示システム５００ａが実行する処理手順である。まず、端末２０を操作する利用者が、表示画面３０２に配置された複数のＮＦＣリーダライタ３８ａの一つと近接無線通信を行う（ステップＳ２０２）。表示装置３０ａが、ＮＦＣリーダライタ３８ａと端末２０との近接無線通信を検出すると、特定部３２６がＵＲＬテーブル３５８を参照して端末２０に送信すべきＵＲＬ情報を特定する（ステップＳ２０４）。特定部３２６は、特定したＵＲＬ情報を記憶部３８２に記憶させる（ステップＳ２０５）。次に、表示装置３０ａが備えるＮＦＣリーダライタ３８ａは、近接無線通信の結果として記憶部３８２に記憶されたＵＲＬ情報を端末２０に送信する（ステップＳ２０６）。次に、端末２０を操作する利用者は、表示部２７に表示されたＵＲＬ情報を選択し、サーバ装置５０に送信する（ステップＳ２０８）。ＵＲＬ情報を受信したサーバ装置５０ａは、指定されたＵＲＬ情報に対応するコンテンツ情報を端末２０に送信する（ステップＳ２１０）。端末２０のＷＥＢブラウザ機能部２２６は、受信したコンテンツ情報を表示部２７に表示させる（ステップＳ２１２）。
【００６３】
上記第２実施形態の情報表示システム５００ａによれば、第１実施形態の情報表示システム５００ａと同様の効果を奏する。例えば、利用者の表示情報に対する興味を惹きつけることができる。また、情報表示システム５００ａの表示装置３０ａは、近接無線通信機能を搭載する電子装置としてＮＦＣリーダライタ３８ａを用いている（図１４）。これにより、ＮＦＣリーダライタ３８ａの記憶部３８２のＵＲＬ情報を表示装置３０ａによって自由に書き換えできる。また、表示装置３０ａの特定部３２６によって、端末２０と近接無線通信を行ったＮＦＣリーダライタ３８の位置を特定している（図１４、図１６のステップＳ２０４）。これにより、サーバ装置５０ａ側で近接無線通信が行われたＮＦＣリーダライタ３８の表示画面３０２における位置を特定する工程が不要にできる。
【００６４】
Ｃ．第３実施形態：
Ｃ−１．情報表示システム５００ｂの説明：
図１７は、本発明の第３実施形態としての情報表示システム５００ｂを説明するための図である。第３実施形態の情報表示システム５００ｂと第１実施形態の情報表示システム５００との異なる点は、表示装置３０ｂが近距離無線通信インターフェース３９７を備える点と、端末２０ｂの内部構成である。その他の構成について第１実施形態の情報表示システム５００と同様の構成であるため、同様の構成については同一符号を付すと共に説明を省略する。なお、ＮＦＣタグ３８に代えて、ＮＦＣリーダライタ３８ａを用いても良い。第３実施形態の情報表示システム５００ｂの表示装置３０ｂは、上記第１，第２実施形態と同様に、表示画面３０２上の表示情報を表示する表示領域を変化させる。
【００６５】
表示装置３０ｂの通信部３９ｂは、有線通信インターフェース３９２に加え、近距離無線通信インターフェース３９７を備える。近距離無線通信インターフェース３９７はブルートゥース（登録商標）を用いた通信を行うためのインターフェースである。
【００６６】
図１８は、端末２０ｂの内部ブロック図である。第１実施形態の端末２０の構成と異なる点は、近距離無線通信インターフェース２８７と、加速度センサー２９とを備える点である。その他の端末２０ｂの構成については第１実施形態の端末２０と同様の構成について同一符号を付すと共に説明を省略する。
【００６７】
加速度センサー２９は、端末２０ｂの３軸方向の加速度を検出する。すなわち、加速度センサー２９は、端末２０ｂが動いた方向と、その方向の加速度を検出する。加速度センサー２９の検出情報は、端末２０ｂの動作を操作や表示装置３０の表示情報の制御に利用される。近距離無線通信インターフェース２８７は、ブルートゥース（登録商標）を用いた通信を行うためのインターフェースである。
【００６８】
表示制御部２２２は、表示装置３０ｂが備えるＮＦＣタグ３８と近接無線通信の開始を検出すると、端末２０ｂの操作を行うための操作画面Ｍ１を表示部２７に表示する。図１８の表示部２７に吹き出しとして示したように、本実施形態では、「ｗｅｂｓｉｔｅ」，「ツイート」，「保存」，「キャンセル」の４つの操作項目が表示部２７に上下左右方向を示す矢印と共に表示される。操作項目「ｗｅｂｓｉｔｅ」は、ＮＦＣタグ３８から取得したＵＲＬ情報をサーバ装置５０に送信する操作である。操作項目「ｔｗｉｔｅ」は、端末２０ｂが有するツイッター機能を利用するための操作である。操作項目「保存」は、ＮＦＣタグ３８から取得したＵＲＬ情報を記憶部２５に記憶させる操作である。操作項目「キャンセル」は、操作画面Ｍ１を閉じる操作である。利用者は、操作を実行したい操作項目に対応して表示された矢印の方向へ端末２０ｂを移動させる。これにより、加速度センサー２９が移動方向を検出することで操作を実行したい操作項目が選択されて操作が実行される。なお、利用者は、操作を実行したい操作項目を直接にタッチすることによっても操作を実行できる。このように、第３実施形態の端末２０ｂは、加速度センサー２９を利用した利用者の操作性を向上できる。
【００６９】
Ｃ−２．第３実施形態の変形態様：
図１９は、第３実施形態の変形態様を説明するための図である。この変形態様では、端末２０ｂが備える加速度センサー２９を利用して表示装置３０ｂの表示画面３０２に表示されている表示情報の位置を変化させる。また、電子装置としてＮＦＣタグ３８に代えてＮＦＣリーダライタ３８ａ（図１４）が使用される。図１９に示すように、座標（５，４）に位置するＮＦＣリーダライタ３８ａが位置する表示ブロック３４には表示情報としてゴルフボールＡ３が表示されている。また、座標（１，４）に位置するＮＦＣリーダライタ３８ａが位置する表示ブロック３４には表示情報としてカップと旗の画像Ａ２が表示されている。この変形態様では、端末２０ｂの加速度センサー２９を用いてゴルフボールＡ３を画像Ａのカップに入れるゲームが可能となる。なお、ＮＦＣリーダライタ３８ａの記憶部３８２に記憶されるＮＦＣリーダライタ３８ａの座標を表す位置情報は、全てのＮＦＣリーダライタ３８ａの位置情報である必要はない。本変形態様では、記憶部３８２は少なくとも表示画面３０２に表示された表示情報のうち、表示画面３０２上を移動させる表示情報（ゴルフボールＡ３）の初期の位置情報を記憶すれば良い。
【００７０】
図２０は、第３実施形態の変形態様の処理手順である。ここで、図２０の処理手順が開始される前に端末２０ｂの近距離無線通信インターフェース２８７と表示装置３０ｂの近距離無線通信インターフェース３９７との間のブルートゥースを用いた無線通信の接続設定が完了しているものとする。
【００７１】
まず、利用者が座標（５，４）に位置するＮＦＣリーダライタ３８ａに端末２０ｂを近づけることで、端末２０ｂが座標（５，４）に位置するＮＦＣリーダライタ３８ａと近接無線通信を行う（ステップＳ３０２）。これにより、端末２０ｂとの間で近接無線通信が行われたＮＦＣタグ３８はＵＲＬ情報を端末２０ｂに送信する（ステップＳ３０４）。次に、利用者の操作によって、端末２０ｂが、ゴルフボールＡ３が表示された領域から表示画面３０２上の他の領域に移動する（ステップＳ３０６）。次に、加速度センサー２９が、この移動における移動方向と加速度とを検出する（ステップＳ３０８）。検出結果は、センサー検出情報としてブルートゥースによって表示装置３０ｂに送信される（ステップＳ３１０）。表示装置３０ｂが、センサー検出情報と、ステップＳ１０２によって近接無線通信が行われたＮＦＣタグ３０の位置情報とに基づいて端末２０ｂの移動位置を検出する（ステップＳ３１２）。具体的には、ゴルフボールＡ３が表示ブロック３４に位置するＮＦＣタグ３８を端末２０ｂの出発位置とする。そして、センサー検出情報に基づいて検出した端末２０ｂの移動方向と移動距離と移動速度とを出発位置に対して加算することで移動位置を検出する。
【００７２】
ステップＳ３１２の後に、表示制御部３２２は移動位置の検出結果に基づきゴルフボールＡ３の位置を変化させる（ステップＳ３１４）。図１９に示す例では、画像Ａ２が位置する位置にゴルフボールＡ３を移動させる。次に、端末２０ｂを操作する利用者は、表示部２７に表示されたＵＲＬ情報を選択し、サーバ装置５０に送信する（ステップＳ３１８）。ステップＳ３２０〜Ｓ３２４の処理内容は、図８のステップＳ１０８〜Ｓ１２２の処理内容と同一であるため説明は省略する。なお、本変形態様では、ステップＳ３０２の開始前にブルートゥースを用いた無線通信の接続設定が完了しているものとしたが、これに限定されるものではない。ステップＳ３０６が行われるまでにブルートゥースを用いた無線通信の接続設定が完了していれば良い。
【００７３】
第３実施形態の変形態様では、端末２０ｂの移動に応じて表示領域を変化させることができることから、利用者の表示情報に対する興味をより惹きつけることができる。
【００７４】
Ｄ．第４実施形態：
図２１は、第４実施形態の情報表示システム５００ｃに用いられる表示装置３０ｃの内部ブロック図である。第４実施形態の表示装置３０ｃと、第２実施形態の表示装置３０ａ（図１４）との異なる点は、表示装置３０ｃが通信台数特定部３２７を備える点と、ＵＲＬテーブル３５８ｃの内容である。表示装置３０ｃのその他の構成については第２実施形態の表示装置３０ａと同様であるため、同様の構成については同一符号を付すと共に説明を省略する。また、第４実施形態の情報表示システム５００ｃの表示装置３０ｃ以外の構成は、複数の端末２０が用いられる点でのみ異なる。第４実施形態の情報表示システム５００ｃの表示装置３０ｃは、上記第１，第２実施形態と同様に、表示画面３０２上の表示情報を表示する表示領域を変化させる。
【００７５】
通信台数特定部３２７は、同じ表示情報又は関連する表示情報を表示している異なる座標に位置する複数のＮＦＣリーダライタ３８ａと所定期間に近接無線通信を行った異なる端末２０の台数を特定する。所定期間とは、最初に、ある端末２０がＮＦＣリーダライタ３８ａと近接無線通信を開始してから所定の時間の間である。所定時間は、初めに開始された近接無線通信のセッションは維持する設定になっている。
【００７６】
図２２は、ＵＲＬテーブル３５８ｃを説明するための図である。第４実施形態において、表示画面３０２には図１５に記載のキャラクターＡのみが表示されている。キャラクターＡは、座標（１，１）〜（ａ，ｂ）のｎ個以上の表示ブロック３４に亘って表示されている。ここで、ａ，ｂは自然数である。ＵＲＬテーブル３５８ｃの領域欄には、表示領域の情報が記憶される。表示領域の情報とは、表示情報が表示されているか否か、表示されている場合の表示情報の種類、および、表示情報の表示に使用されている表示ブロック３４の位置などである。キャラクターＡが表示されている領域には、さらに近接無線通信によって表示領域に位置するＮＦＣリーダライタ３８ａと近接無線通信を行った端末２０の台数と、台数に基づいて端末２０に送信されるＵＲＬ情報が規定されている。キャラクターＡが表示されている領域における端末２０の台数の最大値は、キャラクターＡが表示される表示ブロック３４の数と同一またはそれ以下に設定される。このＵＲＬ情報は、端末２０に第１種のコンテンツ情報を表示させる。また、このＵＲＬ情報は、台数に応じて異なる。一方で、キャラクターＡが表示されていない領域には、第２種のコンテンツ情報を端末２０に表示させるためのＵＲＬ情報が規定されている。
【００７７】
図２３は、第４実施形態の情報表示システム５００ｃが実行する処理手順である。一例として、３つの異なる端末２０が用いられたと仮定する。まず、３つの端末２０が所定期間に表示画面３０２に配置された複数のＮＦＣリーダライタ３８ａの一つと近接無線通信を行う（ステップＳ４０２）。ここでは、２つの端末２０が、キャラクターＡが表示された表示領域に位置するＮＦＣリーダライタ３８ａと近接無線通信を行い、残りの１つの端末２０が、キャラクターＡが表示されてない領域に位置するＮＦＣリーダライタ３８ａと近接無線通信を行ったと仮定する。表示装置３０ｃが、ＮＦＣリーダライタ３８ａと端末２０との近接無線通信を検出すると、特定部３２６の通信台数特定部３２７がキャラクターＡを表示する表示ブロック３４に位置するＮＦＣリーダライタ３８ａと近接無線通信を行った端末２０の台数を特定する（ステップＳ４０３）。次に、特定部３２６は、ＵＲＬテーブル３５８ｃを参照して端末２０に送信すべきＵＲＬ情報を特定する（ステップＳ４０４）。特定部３２６は、特定したＵＲＬ情報に対応するＮＦＣリーダライタ３８ａが備える記憶部３８２に記憶させる（ステップＳ４０５）。そして、ＮＦＣリーダライタ３８ａは、近接無線通信の結果として記憶部３８２に記憶されたＵＲＬ情報を端末２０に送信する（ステップＳ４１０）。ここでは、２つの端末２０に対してＵＲＬ情報の末尾が「２」のＵＲＬ情報が送信され、残りの１つの端末２０に対して第２種のコンテンツ情報を表示させるためのＵＲＬ情報が送信される。ステップＳ４０８〜Ｓ４１２は、図１６のステップＳ２０８〜Ｓ２１２と同様の工程であるため説明を省略する。
【００７８】
上記のごとく第４実施形態の情報表示システム５００ｃは、ＮＦＣリーダライタ３８ａと近接無線通信を行った端末２０の台数と、ＮＦＣリーダライタ３８ａの位置情報とに応じてコンテンツ情報の元となるＵＲＬ情報を変化させている（図２５）。これにより、より多くの利用者の表示情報に対する興味を惹きつけることができる。
【００７９】
Ｅ．第５実施形態：
図２４は、第５実施形態の情報表示システム５００ｄに用いられる表示装置３０ｄの内部ブロック図である。第５実施形態の表示装置３０ｄと、第２実施形態の表示装置３０ａ（図１４）との異なる点は、表示装置３０ｄが接近回数特定部３２７ｄを備える点と、ＵＲＬテーブル３５８ｄの内容と、距離センサー３１を備える点である。表示装置３０ｄのその他の構成については第２実施形態の表示装置３０ａと同様であるため、同様の構成については同一符号を付すと共に説明を省略する。また、第５実施形態の情報表示システム５００ｄの表示装置３０ｄ以外の構成は同様の構成である。第５実施形態の情報表示システム５００ｂの表示装置３０ｄは、上記第１，第２実施形態と同様に、表示画面３０２上の表示情報を表示する表示領域を変化させる。
【００８０】
距離センサー３１は、ＮＦＣリーダライタ３８ａに近接した位置で各表示ブロック３４に１つずつ配置されている。距離センサー３１は、ＮＦＣリーダライタ３８ａに近づけられた端末２０との距離を検出する。接近回数特定部３２７ｄは、距離センサー３１の検出結果に基づいて、端末２０とある一つのＮＦＣリーダライタ３８ａとの接近回数を特定する。この接近回数とは、端末２０とある一つのＮＦＣリーダライタ３８ａとが近距離にあり近接無線通信可能な状態が維持できている期間線に端末２０がある一つのＮＦＣリーダライタ３８ａに所定距離（例えば、３ｃｍ等の近接無線通信可能な範囲内の距離）外から所定距離（例えば、３ｃｍ）内に近づいた回数に１を加えた数である。初めに開始された近接無線通信のセッションは所定期間維持される設定になっている。
【００８１】
図２５は、ＵＲＬテーブル３５８ｄを説明するための図である。図２２のＵＲＬテーブル３５８ｃと異なる点は通信台数に代えて接近回数が規定されている点である。図２６は、第５実施形態の情報表示システム５００ｄが実行する処理手順である。まず、端末２０が、表示画面３０２に配置された複数のＮＦＣリーダライタ３８ａの一つと近接無線通信を行う（ステップＳ５０２）。次に、端末２０を操作する利用者は、ステップＳ５０２から所定期間に端末２０がステップＳ５０２で近接無線通信を行ったＮＦＣリーダライタ３８ａに対して端末２０を遠ざけたり近づけたりする（ステップＳ５０３）。また、表示装置３０ｄの距離センサー３１は、所定期間の端末２０とＮＦＣリーダライタ３８ａとの距離を検出し、検出結果に基づいて接近回数特定部３２７ｄが接近回数を特定する（ステップＳ５０４）。次に、特定部３２６は、ＵＲＬテーブル３５８ｄを参照して端末２０に送信すべきＵＲＬ情報を特定する（ステップＳ５０５）。特定部３２６は、特定したＵＲＬ情報を対応するＮＦＣリーダライタ３８ａが備える記憶部３８２に記憶させる（ステップＳ５０６）。そして、ＮＦＣリーダライタ３８ａは、近接無線通信の結果として記憶部３８２に記憶されたＵＲＬ情報を端末２０に送信する（ステップＳ５０８）。ステップＳ５１０〜Ｓ５１４は、図１６のステップＳ２０８〜Ｓ２１２と同様の工程であるためせ越明を省略する。
【００８２】
上記のごとく第５実施形態の情報表示システム５００ｄは、接近回数とＮＦＣリーダライタ３８ａとの位置情報とに応じてコンテンツ情報の元となるＵＲＬ情報を変化させている（図２５）。これにより、利用者の表示情報に対する興味をさらに惹きつけることができる。
【００８３】
Ｆ．第６実施形態：
図２７は、第６実施形態の情報表示システム５００ｅを説明するための図である。第５実施形態の情報表示システム５００ｅと第２実施形態の情報表示システム５００ａ（図１４）との異なる点は、サーバ装置５０ｅの構成と、表示装置３０ａが複数配置されている点と、端末２０が複数配置されている点である。表示装置３０ａを区別して用いる場合は符号「３０ａ１」，「３０ａ２」、「３０ａ３」を用いる。また、端末２０を区別して用いる場合は、符号「２０ｐ」，「２０ｒ」を用いる。複数の表示装置３０ａはそれぞれ異なる場所に配置されている。複数の表示装置３０ａのそれぞれの表示画面３０２には図４に示すキャラクター３０３が表示されているものとする。第６実施形態の情報表示システム５００ｅの表示装置は、上記第１，第２実施形態と同様に、表示画面３０２上の表示情報を表示する表示領域を変化させる。
【００８４】
図２８は、サーバ装置５０ｅの内部ブロック図である。サーバ装置５０ｅと第１実施形態のサーバ装置５０（図６）と異なる点は、特定部５２２と位置／コンテンツ対応テーブル５５６とを有さない点と、通信頻度特定部５２５と対応テーブル５５６ｅと通信頻度テーブル５５９とを有する点である。その他の構成については第１実施形態のサーバ装置５０と同様の構成であるため、同様の構成については同一符号を付すと共に説明を省略する。
【００８５】
通信頻度特定部５２５は、端末２０ｐ，２０ｒごとに異なる表示装置３０ａ１，３０ａ２，３０ａ３に表示された同じ表示情報を表示する範囲内に位置する表示ブロック３４のＮＦＣリーダライタ３８ａとの近接無線通信回数を特定し、通信頻度テーブル５５９に検出した情報を更新する。
【００８６】
図２９は、通信頻度テーブル５５９を説明するための図である。通信頻度テーブル５５９は、端末２０ｐ，２０ｒごとに、異なる表示装置３０ａ１，３０ａ２，３０ａ２に表示された同一キャラクター３０３を表示する表示ブロック３４に位置するＮＦＣリーダライタ３８ａと近接無線通信が行われた通信回数が記憶される。また、近接無線通信を行った日時も記憶されている。例えば、端末２０ｐは、表示装置３０ａ１と２回、表示装置３０ａ２と１回の近接無線通信を行っているが、同一の表示装置３０ａ１との複数回の近接無線通信の回数はカウントされないため、通信回数は２回となる。
【００８７】
図３０は、対応テーブル５５６ｅを説明するための図である。対応テーブル５５６ｅは、通信回数ごとに端末２０に表示させるコンテンツ情報を規定している。例えば、通信回数が１回の場合は、第１種のコンテンツ情報のうちのコンテンツ情報Ａを端末２０に表示させる。なお、キャラクター３０３が表示されてない表示ブロック３４に位置するＮＦＣリーダライタ３８ａと端末２０が近接無線通信を行った場合は、通信回数に拘わらず同じ第２種のコンテンツ情報が端末２０に表示される。
【００８８】
図３１は、情報表示システム５００ｅが実行する処理手順である。まず、端末２０を操作する利用者が、表示画面３０２に配置された複数のリーダライタ３８ａの一つと近接無線通信を行う（ステップＳ６０２）。ステップＳ６０２における近接無線通信の開始は、表示装置３０ａからサーバ装置５０ｅに送信され、サーバ装置５０ｅの通信頻度特定部５２５は、通信頻度テーブル５５９を更新する（ステップＳ６０３）。また、サーバ装置５０ｅのＷＥＢサーバ機能部５２４は、通信頻度テーブル５５９の通信回数に応じたコンテンツ情報（図３０）を端末２０に表示するためのＵＲＬ情報を端末２０に送信する（ステップＳ６０４）。表示装置３０ａの特定部３２６は、受信したＵＲＬ情報を記憶部３８２に記憶させる（ステップＳ６０５）。次に、表示装置３０ａが備えるＮＦＣリーダライタ３８ａは、近接無線通信の結果として記憶部３８２に記憶されたＵＲＬ情報を端末２０に送信する（ステップＳ６０６）。次に、端末２０を操作する利用者は、表示部２７に表示されたＵＲＬ情報を選択し、サーバ装置５０に送信する（ステップＳ６０８）。ＵＲＬ情報を受信したサーバ装置５０ｅは、ＵＲＬ情報に対応するコンテンツ情報を端末２０に送信する（ステップＳ６１４）。端末２０のＷＥＢブラウザ機能部２２６は、受信したコンテンツ情報を表示部２７に表示させる（ステップＳ６１６）。
【００８９】
上記のごとく第６実施形態の情報表示システム５００ｅは、ＵＲＬ情報と、異なる場所に複数配置された表示装置３０ａと端末２０との近接無線通信との記録とに基づいてコンテンツ情報を変化させるため、利用者の表示情報に対する興味をより惹きつけることができる。
【００９０】
Ｇ．変形例：
上記実施形態において、ハードウェアによって実現されるとした構成の一部をソフトウェアに置き換えるようにしてもよく、逆に、ソフトウェアによって実現されるとした構成の一部をハードウェアに置き換えるようにしてもよい。その他、以下のような変形も可能である。
【００９１】
Ｇ−１．第１変形例：
上記第１実施形態の第２変形態様では、異なる複数の表示情報３０３，３０６を同時に表示している期間に端末２０がＮＦＣタグ３８からＵＲＬ情報を取得した場合は、コンテンツ情報として第１種のコンテンツ情報に代えて第２種のコンテンツ情報を端末２０に表示させるコンテンツ情報として特定した（図１３のステップＳ８４ｂ）。しかしながら、これに代えてステップＳ８４ｂの処理工程を、表示情報３０３，３０６のいずれか一つに対応した第１種のコンテンツ情報をコンテンツ情報として特定しても良い。こうすることで、異なる複数の表示情報を同時に表示している期間に端末２０がＮＦＣタグ３８から送信情報を取得した場合でも、第１種のコンテンツ情報を端末２０によって表示させることができる。
【００９２】
Ｇ−２．第２変形例：
上記第４実施形態では、近接無線通信を行った台数と、ＮＦＣリーダライタ３８ａの位置情報とに応じて記憶部３８２に記憶されるＵＲＬ情報を変化させていたが（図２３）、台数に代えて端末２０の個別情報（端末２０のＩＤなどの情報）を採用しても良い。これによっても、コンテンツ情報を閲覧する利用者の表示情報に対する興味を惹きつけることができる。
【００９３】
Ｇ−３．第３変形例：
ＮＦＣタグ３８，ＮＦＣリーダライタ３８ａは、表示画面３０２の表面側からその位置が識別可能であれば裏面に配置されていても良い。また、表示画面２０３の表面に電ＮＦＣタグ３８，ＮＦＣリーダライタ３８ａは配置されても良い。すなわち、利用者がＮＦＣタグ３８，ＮＦＣリーダライタ３８ａの位置を把握でき、またＩＳＯ／ＩＥＣ１８０９２規格に従った近接無線通信が行える位置に配置されていれば良い。
【００９４】
Ｇ−４．第４変形例：
上記第１実施形態の第１，２変形態様は、第２実施形態に適用しても良い。
また、上記実施形態では、表示画面３０２は複数の表示ブロックからなる構成であったが、表示画面３０２の一部が表示ブロック以外の構成（例えば、ＮＦＣタグ３８，ＮＦＣリーダライタ３８ａが配置されていないブロック）を含んでも良い。
【００９５】
Ｇ−５．第５変形例：
上記第３実施形態では、端末２０ｂの移動に応じて表示領域も移動していたが（図１９）、これに限定されるものではない。例えば、端末２０ｂが座標（５，４）のＮＦＣタグ３８と近接無線通信を行った後、座標（５，４）のＮＦＣタグ３８を含む表示ブロック３４に表示されているゴルフボールＡ３を任意の方向に移動させても良い。すなわち、例えば、端末２０ｂから遠ざかるようにボルフボールＡ３の位置を移動させても良い。
【００９６】
Ｇ−６．第６変形例：
上記実施形態では、表示ブロック３４が表示画面３０２のどの位置にあるのかをＸＹ座標の二次元座標で表していたが、これに限定されるものではなく、Ｘ座標のみの一次元座標やＸＹＺ座標等の三次元座標で表示ブロック３４を表しても良い。
【００９７】
Ｇ−７．第７変形例：
上記実施形態では、電子装置としてＮＦＣタグ３８やＮＦＣリーダライタ３８ａを用いたがこれに限定されるものではなく、非接触型の通信機能を搭載する電子装置を用いることができる。例えば、電子装置としてRFIDやTransferJET（登録商標）を用いても良い。
【００９８】
Ｇ−８．第８変形例：
上記実施形態では、サーバ装置５０，５０ａ，５０ｅの通信部５８は有線通信インターフェース５８２を備えていたが（図６）、これに代えて他の通信インターフェースを備えていても良いし、有線通信インターフェース５８２に加えて他の通信インターフェースを備えていても良い。他の通信インターフェースとしては、例えば、WiMAX（Worldwide Interoperability for Microwave Access）や３G-LTE（3GPP Long Trem Evolution ）などの無線通信（移動体通信）インターフェースが挙げられる。
【００９９】
Ｇ−９．第９変形例：
上記第３実施形態では、加速度センサー２９を用いて端末２０ｂの操作を行ったが、これに加えて情報表示システム５００ｂは以下の制御を行っても良い。すなわち、加速度センサー２９を用いて端末２０ｂに行った操作の結果を、近距離無線通信インターフェース２８７，３９７（図１７，１８）による無線通信によって表示装置３０ｂに送信して、操作の結果に応じて表示画面３０２に表示させる表示情報の内容を変化させても良い。また、端末２０ｂの表示部２７に表示画面Ｍ１を表示させたが、これに代えて表示装置３０ｂの表示画面３０２（例えば、端末２０ｂと近接無線通信を行ったＮＦＣタグ３８が位置する表示ブロック２４）に表示画面Ｍ１を表示させても良い。
【０１００】
Ｇ−１０．第１０変形例：
上記第３実施形態では、利用者は端末２０ｂを移動させることで端末２０ｂの表示部２７に表示された表示項目を選択したが、これに限定されるものではない。例えば、端末２０ｂを傾けることで表示項目を選択しても良い。この場合、端末２０ｂは傾きを検出するためのセンサーを備える。また、利用者は音声によって表示項目を選択しても良い。この場合、端末２０ｂは音声を認識するための音声認識部を備える。
【０１０１】
Ｇ−１１．第１１変形例：
上記第３実施形態の変形態様では、端末２０ｂの加速度センサー２９の検出情報に基づいて表示装置３０ｂの表示領域を変化させていたが（図１８）、加速度センサー２９に限らず各種センサーを用いて表示領域を変化させても良い。各種センサーとしては、端末２０ｂの姿勢などの状態の変化を検出するセンサー（例えば、近接センサーやジャイロセンサーなど）や、端末２０ｂの周囲の状況を検出するセンサー（温室度センサーなど）などが挙げられる。例えば、端末２０ｂが、温室度センサーを備える場合、表示装置３０ｂは端末２０ｂと近接無線通信を行ったことをトリガとして、表示領域の内容を温室度センサーからの検出情報に応じて変化させる。具体的には、検出情報に基づいて湿度が高い場合（例えば７０％以上）は、表示装置３０ｂは表示領域に表示装置３０ｂが配置された地域の雨雲情報を表示させたりする。
【０１０２】
Ｇ−１２．第１２変形例：
上記実施形態の表示装置３０，３０ａ，３０ｂ，３０ｃ，３０ｄは、外部環境の変化を検出するセンサーを備えていても良い。例えば、表示画面３０２の裏面に電磁誘導方式や静電容量方式などのセンサーを配置し、表示画面３０２をタッチパネルとしても良い。以下に、表示装置３０の表示画面３０２がタッチパネルである場合の変形例について説明する。
表示装置３０の表示画面３０２には、トランプや、じゃんけんなどの各種ゲームの開始画面が表示されている。利用者は、端末２０を用いて各種ゲームのうちの一つを選択する。具体的には、利用者がゲームを開始したい場合、ゲーム開始画面が表示された表示ブロック３４に配置されたＮＦＣタグ３８と端末２０との間で近接無線通信を行うことで、ゲームの開始が実行される。これにより、表示装置３０の表示画面３０２を利用者がタッチすることでゲームが進行できる。例えば、トランプを用いた神経衰弱の開始画面が表示された表示領域に位置するＮＦＣタグ３８と端末２０との間で近接無線通信が行われると、表示装置３０は表示画面３０２にトランプを用いた神経衰弱を行うための表示情報を表示する。利用者は、表示画面３０２を押下（タッチ）することでゲームを進行させる。
このように、表示装置３０，３０ａ，３０ｂ，３０ｃ，３０ｄがセンサーを備えることで、表示装置３０，３０ａ，３０ｂ，３０ｃ，３０ｄのエンタテイメント性をさらに高めることができる。
【０１０３】
Ｇ−１３．第１３変形例：
上記実施形態において、表示装置３０，３０ａ，３０ｂ，３０ｃ，３０ｄのＮＦＣタグ３８やＮＦＣリーダライタ３８ａと、端末２０、２０ｂとの間の近接無線通信の通信状況に応じて、表示制御部３２２は、表示装置３０，３０ａ，３０ｂ，３０ｃ，３０ｄの表示領域の位置や、表示領域の表示情報の内容を変化させても良い。例えば、特定の広告や特定のキャラクターが表示されている領域（特定表示領域）に位置するＮＦＣタグ３８やＮＦＣリーダライタ３８ａと、端末２０，２０ｂとの近接無線通信の回数が多くなるほど、特定の広告や特定のキャラクターの大きさを大きくしても良い。また、例えば、特定の広告や特定のキャラクターが表示されている領域に位置するＮＦＣタグ３８やＮＦＣリーダライタ３８ａと、端末２０，２０ｂとの近接無線通信の通信時間が所定時間以上継続して行われた場合に、特定表示領域の内容を変化させても良い。
【０１０４】
Ｇ−１４．第１４変形例：
上記実施形態において、ハードウェアによって実現されるとした構成の一部をソフトウェアに置き換えるようにしてもよく、逆に、ソフトウェアによって実現されるとした構成の一部をハードウェアに置き換えるようにしてもよい。
【符号の説明】
【０１０５】
２０，２０ｂ，２０ｃ…端末
２２…ＣＰＵ
２５…記憶部
２７…表示部
２８…通信部
２９…加速度センサー
３０，３０ａ，３０ｂ，３０ｃ，３０ｄ，３０ａ１，３０ａ２…表示装置
３１…距離センサー
３２，３２ａ…ＣＰＵ
３４…表示ブロック
３５，３５ａ…記憶部
３８…電子装置（ＮＦＣタグ）
３８ａ…電子装置（ＮＦＣリーダライタ）
３９，３９ｂ…通信部
５０，５０ａ，５０ｅ…サーバ装置
５２…ＣＰＵ
５５…記憶部
５８…通信部
９０…インターネット
２０３…表示画面
２２２…表示制御部
２２４…通信制御部
２８２…無線通信インターフェース
２８４…移動体通信インターフェース
２８６…近接無線通信インターフェース
２８７…近距離無線通信インターフェース
３０２…表示画面
３０３…表示情報（キャラクター）
３０３ｍ…目印
３０４…表示ブロック
３０６…表示情報（キャラクター）
３２２…表示制御部
３２４…通信制御部
３２６…特定部
３２７…通信台数特定部
３２７ｄ…接近回数特定部
３８２…記憶部
３８４…通信制御部
３８５…アンテナ
３９２…有線通信インターフェース
３９７…近接無線通信インターフェース
５００〜５００ｅ…情報表示システム
５２２…特定部
５２５…通信頻度特定部
５２６…情報提供部
５２８…通信制御部
５５６ｅ…対応テーブル
５５８…コンテンツ記憶部
５５９…通信頻度テーブル
５８２…有線通信インターフェース
Ｒ１…表示領域
Ｍ１…操作画面
Ｒ２…表示領域
Ｒ３…表示領域
【図１】
2015060416.tif 000003
【図２】
2015060416.tif 000004
【図３】
2015060416.tif 000005
【図４】
2015060416.tif 000006
【図５】
2015060416.tif 000007
【図６】
2015060416.tif 000008
【図７】
2015060416.tif 000009
【図８】
2015060416.tif 000010
【図９】
2015060416.tif 000011
【図１０】
2015060416.tif 000012
【図１１】
2015060416.tif 000013
【図１２】
2015060416.tif 000014
【図１３】
2015060416.tif 000015
【図１４】
2015060416.tif 000016
【図１５】
2015060416.tif 000017
【図１６】
2015060416.tif 000018
【図１７】
2015060416.tif 000019
【図１８】
2015060416.tif 000020
【図１９】
2015060416.tif 000021
【図２０】
2015060416.tif 000022
【図２１】
2015060416.tif 000023
【図２２】
2015060416.tif 000024
【図２３】
2015060416.tif 000025
【図２４】
2015060416.tif 000026
【図２５】
2015060416.tif 000027
【図２６】
2015060416.tif 000028
【図２７】
2015060416.tif 000029
【図２８】
2015060416.tif 000030
【図２９】
2015060416.tif 000031
【図３０】
2015060416.tif 000032
【図３１】
2015060416.tif 000033